(57)【特許請求の範囲】
【請求項１】
金属板を雄型及び雌型により絞って底を有する筒体を形成し、次に該筒体を、径を順次小さくした雄型及び雌型によって複数回絞り、該絞りは前記筒体を前記雌型の内壁に圧着させて該筒体の軸方向に伸延させ、かつ、小径にして肉厚を薄くし、その後、雄型及び雌型の径をさらに小さくしながら前記筒体を複数回絞って、一方側に細径筒部を設け、他方側にストッパ用の係止段部を有する摺動筒部を設けた筒体を形成し、しかる後、前記摺動筒部の周壁に軸方向に沿う溝を複数本形成すると共に、前記筒体の細径筒部の底を抜き、最後に、金型により前記摺動筒部の周壁に外方向に湾曲する膨出部を形成したことを特徴とするアンテナストッパの製造方法。
【請求項２】
金属板を絞ることにより、一方側に細径筒部を備え、他方側に摺動筒部を備えた筒体を形成し、該筒体の細径筒部の端部をアンテナ装着用の開口部に形成し、前記摺動筒部の端部近傍にストッパ用の係止段部を設け、前記摺動筒部の周壁に軸方向に沿う溝を複数本設けると共に、前記摺動筒部の周壁を外方向に湾曲する膨出部に形成したことを特徴とするアンテナストッパ。
【請求項３】
前記溝は、摺動筒部の前記係止段部まで切り抜かれていない長孔であることを特徴とする請求項２記載のアンテナストッパ。
【請求項４】
前記細径筒部に壁部保持用の外筒を嵌合させたことを特徴とする請求項２記載のアンテナストッパ。
【発明の詳細な説明】
【０００１】
【発明の属する技術分野】
本発明は、筒体、特に携帯電話に取り付けられたアンテナの抜け止めをするアンテナストッパの製造方法及びアンテナストッパに関するものである。
【０００２】
【従来の技術】
本格的な携帯電話時代に入り、電話機も付加価値を備え、かつ、様々なモデルのものが登場してきている。ところで携帯用の電話機には、通常、伸縮自在なアンテナが装着されている。このような携帯用の電話機のアンテナは引き出すときに円滑に摺動し、引き出し終了の際は、確実にアンテナの引き出しを停止させて保持させると共に、使用者にその停止、保持の節度感を与えるものでなければならない。
【０００３】
アンテナの引き出し終了の際、使用者に節度感を与えるアンテナの構造を図１４及び図１５に基づいて説明する。図に示すように、携帯用の電話機１の本体部２にはアンテナ保持具３が螺子止めにより設けられており、このアンテナ保持具３にアンテナ４が挿通している。この図の内、図１４に示すものはアンテナ４の引き出し終了間際のものであり、図１５はアンテナ４の引き出しが終了しアンテナ４がアンテナ保持具３に掛合保持されたところを示したものである。
【０００４】
図１４に示すように、アンテナ４の下端部にはアンテナストッパ５がアンテナ３に一体に装着されている。このアンテナストッパ５の構造を図１６及び図１７に基づいて説明する。図１６はアンテナストッパ５を拡大して示す一部断面図であり、図１７は図１６に示すもののＡ矢視図である。
【０００５】
図に示すように、アンテナストッパ５はアンテナ保持部５Ａと、摺動部５Ｂと、係止段部５Ｃと、溝部５Ｄとから概略構成されている。このアンテナストッパ５のアンテナ保持部５Ａにはワイヤー部４Ｗを合成樹脂材のビニール４Ｖで覆ったアンテナ４の基端部が挿入されると共に、アンテナ保持部５Ａがかしめられてアンテナ４の基端部が固定される。
【０００６】
また、摺動部５Ｂは略中間部から係止段部５Ｃに向かうに従って外径が徐々に拡径するようにテーパー状に形成されており、この摺動部５Ｂがアンテナ保持具３の挿通路（図示なし）を通過する際、摩擦抵抗により溝部５Ｄが徐々に狭められてアンテナの引き出し終了間際の感覚が得られるようになっている。すなわち、摺動部５Ｂは、テーパー状の部分と溝部５Ｄとによって、ばね性を発生している。
【０００７】
さらに、アンテナ４の引き出し終了時には、図１５に示すように、係止段部５Ｃがアンテナ保持具３の下端部に係合してアンテナ４の引き出しが終了したことを使用者に知らせ、使用者にアンテナ４の引き出しの際の節度感を与えている。このようにアンテナストッパ５の摺動部５Ｂと係止段部５Ｃとによって、引き出されたアンテナ４が容易に引っ込まないように、また、引き抜かれないように保持されている。なお、図１４及び図１５において符号６で示すものは受話部である。
【０００８】
従来、このようなアンテナストッパ５を製造するには、金属製の棒材を切削加工することにより行っていた。すなわち、金属製の棒材を適宜長さに切断し、この切断した棒材の外周壁を、図１６及び図１７に示すように、両端側からアンテナ設定値となるように切削加工していく。このとき棒材の一側の外周壁を前述した摺動部５Ｂに対応するように、略中間部から端部に向かって、徐々に拡径するようにテーパー状に形成し、テーパー状の外径の最大径の部位にアンテナ抜け止め用の係止段部５Ｃを形成する。
【０００９】
また、棒材の端部の中心に両端側から軸方向に孔を明け、棒材の他側に形成した孔（穴径略１．５ｍｍ）をアンテナの差し込み孔に使用する。さらに、前記テーパー状の壁部、及び係止段部５Ｃの背部側の壁部を端部より十字状に割加工し、軸方向に４本の溝部５Ｄ（溝巾略０．２ｍｍ）を形成する。この溝部５Ｄによってアンテナが引き出された際、テーパー状の壁部にばね性が発生する。
【００１０】
図１８及び図１９に示すものは、図１４乃至図１７で説明した従来技術とは別のものである。この図の電話機１のアンテナ保持具７にはアンテナ４が挿通しており、アンテナ４の下部に装着されたアンテナストッパ８の摺動部８Ｂの外径は均等に形成されている。また、摺動部８Ｂには、前述（図１６）したような、溝部５Ｄも形成されていない。このためアンテナ保持具７の挿通路（図示なし）の内部には、図２０に示すような、切り欠き片９を内側に突出させた板バネ１０が配設されている。
【００１１】
この板バネ１０によって、アンテナストッパ８がアンテナ保持具７を摺動する際に、抵抗感が得られるようになっている。また、アンテナストッパ８の最下端には径を若干大きくした係止段部８Ｃが設けられている。このようなアンテナストッパ８の他の部分は前述した従来の技術のものと略同じなので同じ符号を付して説明は省略する。なお、このアンテナストッパ９の製造も前述したものと同様に金属棒の外径を削ることによって行っている。この場合、外径は均等であるので、テーパー状に削られていない。
【００１２】
【発明が解決しようとする課題】
以上説明した、アンテナを引き出した際に抜け止めをするアンテナストッパは、金属棒を切削加工することによって行っていたため、加工に時間がかかって、作業性が悪く、また、外周壁をテーパー状に形成したり、テーパー状の壁部に十字状の溝部を形成したりしているので作業が煩雑でもあった。このため量産ができずコスト高になる問題があった。また、金属棒に反りがあると、棒材をアンテナ保持具に挿通させた際、アンテナが円滑に摺動しない虞があった。
【００１３】
本発明は、この点に鑑みてなされたものであり、アンテナストッパを金属板を絞ることにより形成し、これによって作業の簡易化を図って、製造効率を上げ、量産を可能にしてコストの削減をすると共に、アンテナストッパの反りをなくして、アンテナ保持具内を円滑に摺動することができるアンテナストッパの製造方法及びアンテナストッパを提供することを目的とする。
【００１４】
【課題を解決するための手段】
請求項１に記載された発明に係るアンテナストッパの製造方法は、金属板を雄型及び雌型により絞って底を有する筒体を形成し、次に該筒体を、径を順次小さくした雄型及び雌型によって複数回絞り、該絞りは前記筒体を前記雌型の内壁に圧着させて該筒体の軸方向に伸延させ、かつ、小径にして肉厚を薄くし、その後、雄型及び雌型の径をさらに小さくしながら前記筒体を複数回絞って、一方側に細径筒部を設け、他方側にストッパ用の係止段部を有する摺動筒部を設けた筒体を形成し、しかる後、前記摺動筒部の周壁に軸方向に沿う溝を複数本形成すると共に、前記筒体の細径筒部の底を抜き、最後に、金型により前記摺動筒部の周壁に外方向に湾曲する膨出部を形成したことを特徴とするものである。
【００１５】
請求項１の発明は、金属板を雄型及び雌型により絞って形成した底を有する筒体を前記雄型及び雌型より径を順次小さくした雄型及び雌型で複数回絞り、この絞りは前記筒体を前記雌型の内壁に圧着させて筒体の軸方向に伸延させ、かつ、小径にして肉厚が薄くなるように行って、反りのない真っ直ぐな筒体を形成させる。次に、雄型及び雌型の径をさらに小さくしながら、複数回絞って形成した筒体の一方側に設けた細径筒部の底を抜き、この底抜きにより形成した開口部にビニールを巻回したアンテナの基端部を差し込んでアンテナを堅固に保持させる。また、筒体の他方側に設けた摺動筒部にストッパ用の係止段部を設けて、アンテナ引き出しの際における、アンテナの抜けを防止する。さらに、摺動筒部の周壁に軸方向に沿う溝を設け、この摺動筒部の周壁に膨出部を設けて、アンテナを引き出して、停止、保持させる際の節度感を与える。このようにアンテナストッパを絞り加工によって形成し、作業性を良くして量産がきくようにし、コストの低減を図るようにする。
【００１６】
請求項２に記載された発明に係るアンテナストッパは、金属板を絞ることにより、一方側に細径筒部を備え、他方側に摺動筒部を備えた筒体を形成し、該筒体の細径筒部の端部をアンテナ装着用の開口部に形成し、前記摺動筒部の端部近傍にストッパ用の係止段部を設け、前記摺動筒部の周壁に軸方向に沿う溝を複数本設けると共に、前記摺動筒部の周壁を外方向に湾曲する膨出部に形成したことを特徴とするものである。
【００１７】
請求項２の発明は、金属板を絞ることにより形成した筒体の、一方側の細径筒部の端部に形成した開口部にアンテナの基端部を嵌合させてアンテナを堅固に保持させる。また、他方側の摺動筒部の端部近傍にストッパ用の係止段部を設けて、アンテナを引き出した際の抜け止めにする。さらに、摺動筒部の周壁に軸方向に沿う溝を複数本設けると共に、摺動筒部の周壁を外方向に湾曲する膨出部に形成して、アンテナを引き出して膨出部がアンテナ保持具を通る際、摺動筒部に弾性力を発生させて、アンテナの引き出し停止間際及び停止の節度感を与える。
【００１８】
請求項３に記載された発明は、請求項２に記載されたものにおいて、前記溝は、摺動筒部の前記係止段部まで切り抜かれていない長孔であることを特徴とするものである。
【００１９】
請求項３の発明は、溝を摺動筒部の係止段部まで切り抜かれていない長孔に形成して、常時平均的な弾力性を持たせる。
【００２０】
請求項４に記載された発明は、請求項２に記載されたものにおいて、前記細径筒部に壁部保持用の外筒を嵌合させたことを特徴とするものである。
【００２１】
請求項４の発明は、上記細径筒部に壁部保持用の外筒を嵌合させて、細径筒部の強度を向上させる。
【００２２】
【発明の実施の形態】
以下、本発明の実施の形態を、要部を模式的に示した図１及び図２に基づき、図１４乃至図２０と同一の部分には同一の符号を付して説明する。まず、金属板１１を雄型１２及び雌型１３によって絞り、上縁部にフランジ１４を備え下端部に底１５を有する筒体１６を形成する。次に、この筒体１６を、図３に示すように、径をさらに小さくした雄型１２及び雌型１３によって絞り、より径の小さい筒体１６を形成する。
【００２３】
筒体１６を絞る際は、筒体１６の周壁面を雌型１３の内壁に圧着させて筒体１６を軸方向に伸延させ、かつ、小径にして肉厚を薄くすることにより、内周部に不均等の部分がなく、かつ、軸方向に真っ直ぐな筒体１６を形成する。図４に示すものは金属板１１の上面図である。金属板１１は矢印方向に進むにつれて筒体１６が徐々に深く絞られるようになっている。
【００２４】
図５で示すものは筒体１６の絞り加工の最終工程を示す模式図である。図５(a)に示すものは、順次径を小さくした雄型１２及び雌型１３により、１２回ほど絞り（または段絞り）を行って形成した筒体１６である。筒体１６の一方側（下側）には細径筒部１７が形成され、他方側（上側）には細径筒部１７より径の大きい摺動筒部１８が形成されている。
【００２５】
また、細径筒部１７の下端部には、金属板１１を雄型１２で押し込んで絞る際にできる底１５が設けられている。摺動筒部１８のフランジ１４側の端部には摺動筒部１８より径の大きい、ストッパ用の係止段部１９が摺動筒部１８に一体に設けられている。このような筒体１６の内周面及び外周面は雄型１２及び雌型１３によって規制されているため、内周面及び外周面に不均等な部分がなく、反りのない真っ直ぐな筒体１６が形成される。
【００２６】
図５(b)で示すものは、図５(a)で示した筒体１６の摺動筒部１８の周壁に軸方向に沿う溝２０を複数本(本実施の形態においては４本)形成したものである(拡大して示す図６及び図７参照)。この溝２０は、図８で示すように、内側に、軸芯に向かって突出した突起２１を備えた金型２２の内部に筒体１６を押し入れ、入れるにつれて、摺動筒部１８の周壁が切り抜かれて溝２０が形成されるようになっている。溝２０は摺動筒部１８の係止段部１９の近傍まで形成された長孔状のものであり、図１６に示す従来のアンテナストッパ５のように軸方向に抜かれていないものである。
【００２７】
また、図５(c)に示すものは、筒体１６の細径筒部１７にある底１５を抜いたところのものである。この底抜きを行った後、図５(d)に示すように、筒体１６のフランジ１４を切除しトリミング等の最終整形を行って筒体１６を整える。
【００２８】
さらに、図５(e)に示すように、最終整形を行った筒体１６の摺動筒部１８の周壁を外方向に湾曲する膨出部２３に形成し、次に、図５(f)に示すように、係止段部１９の背部（上側）に丸み２４を形成して筒体１６を完成させる。
【００２９】
摺動筒部１８に膨出部２３を形成するには、図９に示すように、逃げ部２５を形成したダイス２６の内部に、図５(d)に示す筒体１６を配置してストッパ部材２７で支持し、このように配置した筒体１６をダイス２６と、その上部に設けたパンチ２８とで挟持し両端部より押圧することによって、摺動筒部１８の外周に膨出部２３を形成する。
【００３０】
また、摺動筒部１８に設けた係止段部１９に丸み２４を設けるには、図１０に示すように、筒体１６をダイス２６に挿入した状態で、筒体１６の上部を丸みが形成されたパンチ２９と、ダイス２６とで挟持して押圧することにより、筒体１６の係止段部１９の背部側に丸み２４を形成する。
【００３１】
このように筒体１６は絞り加工によって形成されているので、筒体１６の細径筒部１７の壁部は肉薄になっている。このため図１１に示すような、外筒３０を形成して、外筒３０を筒体１６の細径筒部１７に嵌合させるとよい。この場合、外筒３０の縮径部３０ａが筒体１６の細径筒部１７に嵌合される(図１３参照)。これによって、細径筒部１７の強度が向上する。
【００３２】
このような外筒３０を装着した筒部１６すなわちアンテナストッパにアンテナ４を装着すると、図１３に示すようになる。この図に示すように、縮径部３０ａ及び細径筒部１７の内側にアンテナ４のワイヤー部４Ｗが挿入され、外筒３０の拡径部分３０ｂにワイヤー部４Ｗ及び、ワイヤー部４Ｗに巻回されたビニール材４Ｖが挿入されて固定される。
【００３３】
この外筒３０も筒体１６と同様に絞り加工によって製造される。図１２(a)〜(g)は外筒３０の絞りの態様を示したものである。この内、図１２ (a)〜(d)は、金属板１１を順次径を小さくした雄型及び雌型(図１乃至図３参照）により略６回程絞って形成された、底３１を有する外筒３０を示したものである。また、図１２(e)〜(g)に示すものは、底３１抜きを行った外筒３０、フランジ３２を切除しトリミングをした外筒３０、整形された最終段階の外筒３０を示したものである。
【００３４】
上記製造方法により、図１３に示すように、一方側に細径筒部１７を備え、他方側に細径筒部１７より径の大きい摺動筒部１８を備えた筒体１６を形成し、この筒体１６の細径筒部１７の端部に形成した開口部にアンテナ４の基端部を装着し、さらに、摺動筒部１８の端部近傍にストッパ用の係止段部１９を設け、摺動筒部１８の周壁に軸方向に沿う溝２０を４本設けると共に、摺動筒部１８の周壁を外方向に湾曲する膨出部２３に形成させてアンテナストッパを形成させる。このアンテナストッパの細径筒部１７には外筒３０が嵌合されている。
【００３５】
アンテナストッパにアンテナ４を装着する際、絞り加工のとき下側にある細径筒部１７を上側に位置させて、この細径筒部１７の開口にアンテナ４の基端部を嵌合させて取り付ける。図１３において、外筒３０の縮径部３０ａが嵌合した細径筒部１７の内部にアンテナ４のワイヤー部４Ｗが嵌合され、外筒３０の拡径部３０ｂの内部にワイヤー部４Ｗとビニール４Ｖとが嵌合される。この状態において、拡径部３０ｂがかしめられてアンテナストッパがアンテナ４に固定される。
【００３６】
【発明の効果】
請求項１または２に記載の発明は、金属板を径を順次小さくした雄型及び雌型により複数回絞って、一方側に細径筒部を備え、他方側に摺動筒部を備えた筒体を形成し、絞りは筒体を雌型の内壁に圧着させて筒体の軸方向に伸延させ、かつ、小径にして肉厚が薄くなるように行ったので、反りのない真っ直ぐな筒体を形成することができる。また、一方側の細径筒部の底抜きを行い、底抜きにより形成した開口部にビニールを巻回したアンテナの基端部を差し込んだので、アンテナを堅固に保持することができる。また、他方側に設けた摺動筒部にストッパ用の係止段部を設けたので、アンテナ引き出しの際における、アンテナの抜けを防止することができる。
【００３７】
さらに、摺動筒部の周壁に軸方向に沿う溝を設け、この摺動筒部の周壁に膨出部を設けたので、摺動筒部に外方向への弾力性を持たせることができる。これによって、アンテナを引き出し、停止、保持させる際の節度感を使用者に与えることができる。このようにアンテナストッパを絞り加工によって形成したので、作業性が良くなり、量産ができるので、コストの低減を図ることができる。
【００３８】
請求項３に記載された発明は、溝を摺動筒部の係止段部まで切り抜かない長孔に形成したので、摺動筒部は常時平均的な弾力性を持つことができ、アンテナを引き出した際の引き出し力が一定になり、アンテナを強く保持することができる。
【００３９】
請求項４に記載された発明は、筒体の細径筒部に壁部保持用の外筒を嵌合させたので、細径筒部の強度が向上して割れを防止することができる。これによって、アンテナの基端部を強固に固定することができる。
【図面の簡単な説明】
【図１】  本発明に係るアンテナストッパの製造方法を実施するための絞り型の一部断面図である。
【図２】  図１に示す型を使用して筒体を絞るところを示す一部断面図である。
【図３】  さらに、径の小さい型を使用して筒体を絞るところを示す一部断面図である。
【図４】  筒体を形成するために使用する金属板の上面図である。
【図５】  順次、径の小さい絞り型で成形した筒体の最終工程の一部を示す模式図である。
【図６】  完成した筒体の一部断面図である。
【図７】  図６に示すものの上面図である。
【図８】  筒体に溝孔を形成する金型の上面図である。
【図９】  筒体の摺動筒部の外周に膨出部を形成しているところを示す一部断面図である。
【図１０】  筒体の係止段部の背面に丸みを形成しているところを示す一部断面図である。
【図１１】  筒体の細径筒部に嵌合させる外筒の断面図である。
【図１２】  順次、径の小さい絞り型によって加工された外筒の一部を示す模式図である。
【図１３】  完成したアンテナストッパに外筒を嵌合させたところを示す断面図である。
【図１４】  携帯電話のアンテナの最下端に装着されたアンテナストッパを説明するための図である。
【図１５】  図１４のアンテナが引き出されて停止したところを示す模式図である。
【図１６】  図１４示すアンテナストッパの一部断面図である。
【図１７】  図１６に示すもののＡ矢視図である。
【図１８】  アンテナの最下端に装着された、別のアンテナストッパを説明するための図である。
【図１９】  図１８のアンテナが引き出されて停止したところを示す模式図である。
【図２０】  図１９のアンテナストッパの内部に設けられた板ばねの模式図である。
【符号の説明】
４    アンテナ
１１    金属板
１２    雄型
１３    雌型
１５    底
１６    有底筒体
１７    細径筒部
１８    摺動筒部
１９    係止段部
２０    溝孔
２３    膨出部
２６    ダイス
２８    パンチ
【図１】
0004505676.tif 000002
【図２】
0004505676.tif 000003
【図３】
0004505676.tif 000004
【図４】
0004505676.tif 000005
【図５】
0004505676.tif 000006
【図６】
0004505676.tif 000007
【図７】
0004505676.tif 000008
【図８】
0004505676.tif 000009
【図９】
0004505676.tif 000010
【図１０】
0004505676.tif 000011
【図１１】
0004505676.tif 000012
【図１２】
0004505676.tif 000013
【図１３】
0004505676.tif 000014
【図１４】
0004505676.tif 000015
【図１５】
0004505676.tif 000016
【図１６】
0004505676.tif 000017
【図１７】
0004505676.tif 000018
【図１８】
0004505676.tif 000019
【図１９】
0004505676.tif 000020
【図２０】
0004505676.tif 000021